(57)【要約】【課題】  開閉可能な安全ガードを備えたリール芝刈り機を提供する。【解決手段】  移動構造体と、移動構造体に回転可能に連結される接地牽引部材とを有するリール式芝刈り機。接地牽引部材は地面上で移動構造体を対地速度で牽引移動させる。動力装置は移動構造体に支持され、接地牽引部材に駆動力を出力する。ベッドナイフは移動構造体に支持され、移動構造体上で回転可能に支持される芝刈りリールと協働する切断エッジを有する。収集器具は移動構造体に接続または取り外し可能で、刈り取り草を収集する。フラップ装置が移動構造体に回転可能に連結され、芝刈りリールを隠す閉位置および芝刈りリールを露出させる開位置に位置付けられる。作動システムは収集器具が移動構造体から取り除かれた場合にはフラップ装置を閉位置に駆動し、収集器具が移動構造体と接続した場合にはフラップ装置を開位置に駆動する。【選択図】  図１
2005328838.tif 000002
【特許請求の範囲】
【請求項１】
搬送用構造（mobile structure）と、
前記搬送用構造に回転可能に連結され、地面上で前記搬送用構造を対地速度で牽引移動させる接地牽引部材と、
前記搬送用構造に支持され、前記接地牽引部材に駆動力を出力する動力装置と、
前記搬送用構造に支持され、切断エッジを有するベッドナイフと、
前記搬送用構造上で回転可能に支持され、前記ベッドナイフと関連して草を刈る刈刃を有し、刈り取り草を生成する芝刈りリールと、
前記搬送用構造に接続可能、または、前記搬送用構造から取り外し可能で、前記刈り取り草を収集する収集器具と、
前記搬送用構造に回転可能に連結され、前記芝刈りリールを隠す閉位置、および、前記芝刈りリールを露出させる開位置に位置付けられるガードと、
前記ガードと前記搬送用構造との間で動作可能に連結され、前記収集器具が前記搬送用構造から取り除かれた場合には前記ガードを前記閉位置に駆動し、前記収集器具が前記搬送用構造と接続した場合には前記ガードを前記開位置に駆動する作動システムとを有するリール芝刈機。
【請求項２】
前記搬送用構造と前記収集器具との間で動作可能に連結され、前記収集器具が前記搬送用構造と接続した際に前記作動システムに信号を出力するスイッチ装置を有する請求項１に記載のリール芝刈機。
【請求項３】
前記作動システムは水圧駆動部材を有し、該水圧駆動部材は前記ガードと前記搬送用構造との間で動作可能に連結され、前記信号に応じて前記閉位置、および、前記開位置の間で前記ガードを駆動する請求項２に記載のリール芝刈機。
【請求項４】
前記作動システムはソレノイド部材を有し、該ソレノイド部材は前記ガードと前記搬送用構造との間で動作可能に連結され、前記信号に応じて前記閉位置、および、前記開位置の間で前記ガードを駆動する請求項２に記載のリール芝刈機。
【請求項５】
前記ガードは前記搬送用構造に回転可能に連結される平面状の部材である請求項１に記載のリール芝刈機。
【請求項６】
搬送用構造と、
前記搬送用構造に回転可能に連結され、地面上で前記搬送用構造を対地速度で牽引移動させる接地牽引部材と、
前記搬送用構造に支持され、前記接地牽引部材に駆動力を出力する動力装置と、
前記搬送用構造に支持され、切断エッジを有するベッドナイフと、
前記搬送用構造上で回転可能に支持され、前記ベッドナイフと関連して草を刈る刈刃を有し、刈り取り草を生成する芝刈りリールと、
前記搬送用構造に接続可能、または、前記搬送用構造から取り外し可能で、前記刈り取り草を収集する収集器具と、
前記搬送用構造に回転可能に連結され、前記芝刈りリールを隠す閉位置、および、前記芝刈りリールを露出させる開位置に位置付けられるガードと、
前記ガードと前記搬送用構造との間で動作可能に連結され、前記収集器具が前記搬送用構造から取り除かれた場合には前記ガードを前記閉位置に駆動し、前記収集器具が前記搬送用構造と接続した場合には前記ガードを前記開位置に駆動する水圧作動システムとを有するリール芝刈機。
【請求項７】
前記搬送用構造と前記収集器具との間で動作可能に連結され、前記収集器具が前記搬送用構造と接続した際に前記水圧作動システムに信号を出力するスイッチ装置を有する請求項６に記載のリール芝刈機。
【請求項８】
前記ガードは前記搬送用構造に回転可能に連結される平面状の部材である請求項６に記載のリール芝刈機。
【請求項９】
搬送用構造と、
前記搬送用構造に回転可能に連結され、地面上で前記搬送用構造を対地速度で牽引移動させる接地牽引部材と、
前記搬送用構造に支持され、前記接地牽引部材に駆動力を出力する動力装置と、
前記搬送用構造に支持され、切断エッジを有するベッドナイフと、
前記搬送用構造上で回転可能に支持され、前記ベッドナイフと関連して草を刈る刈刃を有し、刈り取り草を生成する芝刈りリールと、
前記搬送用構造に接続可能、または、前記搬送用構造から取り外し可能で、前記刈り取り草を収集する収集器具と、
前記搬送用構造に回転可能に連結され、前記芝刈りリールを隠す閉位置、および、前記芝刈りリールを露出させる開位置に位置付けられるガードと、
前記ガードと前記搬送用構造との間で動作可能に連結され、前記収集器具が前記搬送用構造から取り除かれた場合には前記ガードを前記閉位置に駆動し、前記収集器具が前記搬送用構造と接続した場合には前記ガードを前記開位置に駆動するソレノイド作動システムとを有するリール芝刈機。
【請求項１０】
前記搬送用構造と前記収集器具との間で動作可能に連結され、前記収集器具が前記搬送用構造と接続した際に前記ソレノイド作動システムに信号を出力するスイッチ装置を有する請求項９に記載のリール芝刈機。
【請求項１１】
前記ガードは前記搬送用構造に回転可能に連結される平面状の部材である請求項９に記載のリール芝刈機。
【発明の詳細な説明】
【技術分野】
【０００１】
本発明はリール式の芝刈り機に関するものである。特に、位置を変えることで開閉可能な安全ガードを有するリール式の芝刈り機に関するものである。
【背景技術】
【０００２】
リール式の芝刈り機は当業界において良く知られており、従来の回転式の芝刈り機に対して多くの明確に優れた刈り取り性能がある。特に、回転するリール刃組立品と固定刃との機構的な連繋により、所望の刈り取りを行なうことができる。回転するリール刃部は一般に、回転軸に水平に固定された複数の刃部材を含む。
【０００３】
作動中、草またはその他の植物は、複数の刃部材のうち１つと、固定刃との間で引っぱられ、刈り取りが行われる。その後、刈り取られた草は、地面に排出されてそこで分解される（マルチングモード）か、または収集かごに排出され処分される（バギングモード）。一般には、リール式の芝刈り機は、マルチングモードとバギングモードとのいずれでも作動可能なように構成可能である。
【発明の開示】
【発明が解決しようとする課題】
【０００４】
多くのリール式芝刈り機は、長年のサービスにより、すでに安全で信頼性があるものと証明されているが、最近、継続して確実に安全に作動するため、新たに安全のための特徴を提供することへの関心が高まっている。上述のリール式の芝刈り機に関しては、バギングモードで芝刈りをしている間に、オペレータは、何度も袋を空にする。袋を空にしている間に、エンジンが動きつづけ、さらに複数の刃部材がまだ回り続けている場合があるかもしれない。一般には、オペレータの手はこの複数の刃部材に近づけないものの、オペレータの間違いや事故を防ぐために、さらなる保護が望まれている。
【０００５】
これにより、当業界では、リール式芝刈り機を使用している際に事故や負傷につながるオペレータの誤りを防ぐ安全ガードの提供が必要とされている。さらに当業界では、バギングモードとマルチングモードとの両方で使用するために簡単に構成可能なリール式芝刈り機用の安全ガードの提供が必要とされている。さらに、当業界においては従来技術の欠点の克服が必要とされている。
【課題を解決するための手段】
【０００６】
本発明によれば、有用な構成を有するリール型芝刈機が提供される。リール式芝刈り機は、搬送用構造、および、搬送用構造に回転可能に連結される接地牽引部材を含む。接地牽引部材は、地面上で搬送用構造を対地速度で牽引移動させる。動力装置は搬送用構造に支持され、接地牽引部材に駆動力を出力する。ベッドナイフは搬送用構造に支持されて、切断エッジを有する。該切断エッジは搬送用構造上で回転可能に支持される芝刈りリールと協働する。収集器具は搬送用構造に接続可能で、または、搬送用構造から取り外し可能で刈り取り草を収集する。ガードが搬送用構造に回転可能に連結され、芝刈りリールを隠す閉位置、および、芝刈りリールを露出させる開位置に位置付けられる。作動システムは収集器具が搬送用構造から取り除かれた場合にはガードを閉位置に駆動し、収集器具が搬送用構造と接続した場合にはガードを開位置に駆動する。
【０００７】
本発明のさらなる応用については、以下の詳細な説明により明らかになるであろう。以下の詳細な説明ならびに具体的な例は本発明の好適な実施形態を示すが、例示の目的のみのものであり本発明の範囲を限定する意図はない。
【発明を実施するための最良の形態】
【０００８】
以下の好適な実施形態の詳細な説明は説明の目的のためのみのものであり、本発明、その応用、またはその使用を限定するものでは全くない。
【０００９】
図１には、本発明のグリーン用芝刈機１０を示す。グリーン用芝刈機１０はリール式の芝刈機で、基部１２およびフローティングまたは関節式芝刈りユニット１４を有する。芝刈りユニット１４は回転機構１６を介して基部１２に関節連結される。
【００１０】
芝刈りユニット１４はらせん刃２０を有する回転可能なグリーン用芝刈機のリール１８を含む。らせん刃２０はリール軸２２に等間隔で配置される。図２より最も良くわかるようにリール軸２２は一般に縦長で、その長さに沿って回転軸２４を規定する。従来の（図示しない）固定されたベッドナイフが、芝刈りユニット１４に動作可能に取り付けられている。らせん刃２０は軸２２の回りを回り、固定されたベッドナイフを通り過ぎて動き、通常の良く知られている方法で草を刈る。芝刈りユニット１４はさらに、１対の接地ローラ２６(図１)を含む。上記１対の接地ローラ２６は芝刈りユニット１４の前部分と後ろ部分とに沿って回転可能に取り付けられる。上記１対の接地ローラ２６により芝刈りユニット１４が地面上で動くように支持される。上記１対の接地ローラ２６は、刈り取り高さを決めるために調整可能であるのが好ましい。
【００１１】
基部１２は一般に、内燃機関３２、フレーム３４、芝ローラ３６、駆動システム３８、およびハンドル組立品４０を含む。内燃機関３２は従来の設計のもので、フレーム３４に取り付けられる。
【００１２】
芝ローラ３６はローラ軸４６を介してフレーム３４に取り付けられている。芝ローラ３６は基部１２を地面上で支持し、グリーン用芝刈機１０の牽引駆動部として働く。これ以外の地面を支える牽引部材で置き換えることもできる。駆動システム３８は出力軸４８と芝ローラ３６との間で動作可能なように連結されている。駆動システム３８は一般に、出力軸４８に取り付けられこれと共に回転する（図示しない）駆動滑車と、芝ローラ３６に取り付けられこれと共に回転する（図示しない）遊び滑車とを含む。（図示しない）駆動ベルトが駆動滑車と遊び滑車との間で伸び、内燃機関３２から芝ローラ３６に駆動力を伝達する。このようにして、内燃機関３２から接地芝ローラ３６へ牽引駆動伝達が行なわれ、グリーン用芝刈機１０を少なくとも前方向に駆動することができる。
【００１３】
さらに図２には、芝刈りユニット１４に、安全ガード５０が設けられていることが示されている。安全ガード５０はフラップ装置５２を含む。該フラップ装置５２は軸５６に沿って縦材５４の間にヒンジで取り付けられている。フラップ装置５２は上方の開位置（図２参照）と下方の閉位置との間の位置を取ることができる。上方の開位置では、フラップ装置５２はヒンジ軸５６の回りを上方向へ回転し、排出開口５８を露出させる。排出開口５８は刈り取られた草を（図１に仮想的に図示した）収集袋６０中に自由に排出できるようになる。下方の閉位置では、フラップ装置５２の末端６２は縦材５４の間を伸張している支持棒６４と接触する。上記下方の閉位置では、末端６２は支持棒６４上に置かれても良い。上記下方の閉位置では、刈り取られた草はマルチングにされ続け、芝刈りユニット１４の下方から外へ排出される。
【００１４】
さらに図２に関して、安全ガード５０はさらに作動装置６６を含むが、上記作動装置６６はフラップ装置５２および縦材５４の間に連結されていることが好ましい。作動システム６６は、フラップ装置５２を上方の開位置および下方の閉位置の間で設置するよう作動可能である。作動システム６６は複数多種のシステムのいずれであっても良いが、例として水圧システムを含む。水圧システムでは水圧液が伸縮可能な水圧ピストンを作動させ、フラップ装置５２を開閉させる。これに代えて、作動システム６６は電気ソレノイドシステムでも良い。この場合、ソレノイド装置が励起してフラップ装置５２を開閉する。さらに作動システム６６はバネなどのバイアス部材でも良く、上記バイアス部材がフラップ装置５２を開位置または閉位置へとバイアスし、これにより収集袋６０が取り除かれたときにフラップ装置５２が下方の閉位置へと移動する。
【００１５】
さらに、芝刈りユニット１４の縦材５４にはスイッチ７０が連結されている。スイッチ７０は収集袋６０と協働して、作動システム６６を起動する信号を出力する。作動システム６６が電子ソレノイドを有する場合には、スイッチ７０は単なる電子スイッチ部材で、収集袋６０を取り除いた際ソレノイドに切断電力を供給し、これによりフラップ装置５２が下方の閉位置へと移動する。作動システム６６が水圧システムである場合には、スイッチ７０は電気または水圧スイッチで液体を介して水圧ピストンと連係を行いまたは連係を妨げ、これによりフラップ装置５２が下方の閉位置へと移動する。
【００１６】
本発明の説明は、単に例示のために行なったものであり、本発明の主旨から外れない変形例は、本発明の範囲に入るものと考えられる。このような変形例は、本発明の思想と範囲とから外れるものとは見なされない。
【図面の簡単な説明】
【００１７】
【図１】本発明のリール芝刈機を示す透視図である。
【図２】本発明の芝刈りユニットを示す拡大透視図である。
【符号の説明】
【００１８】
１０    グリーン用芝刈機（リール芝刈機）
１２    基部（搬送用構造）
１４    芝刈りユニット（搬送用構造）
１６    回転機構（搬送用構造）
１８    リール（芝刈りリール）
２０    らせん刃
２２    リール軸
２４    回転軸
２６    接地ローラ
３２    内燃機関（動力装置）
３４    フレーム（搬送用構造）
３６    芝ローラ（設置牽引部材）
３８    駆動システム（搬送用構造）
４０    ハンドル組立品（搬送用構造）
４６    ローラ軸
４８    出力軸
５０    安全ガード（ガード）
５２    フラップ装置（ガード）
５４    縦材
５６    ヒンジ軸
５８    排出開口
６０    収集袋（収集器具）
６２    末端
６４    支持棒
６６    作動装置（作動システム）
７０    スイッチ（スイッチ装置）
【図１】
2005328838.tif 000003
【図２】
2005328838.tif 000004